(57)【要約】【目的】  錠前の施解錠時に使用者に所望のメッセージを同時に伝えることができる。【構成】  電気錠１０は、所望のメッセージを表示内容として表示する表示部１４を本体に一体に備えている。表示部１４は、電気錠１０に内蔵された錠前１３を施解錠するための施解錠情報を読み取る情報読取部１１の近傍に設置される。所望のメッセージは、例えば管理室に設置されたパソコンなどの端末装置や携帯型のデータ入出力器などで構成される表示データ出力装置３０から入力される。使用者は、電気錠１０の錠前１３を施解錠する際、表示部１４の表示画面を目視することでメッセージの有無を容易に確認することができる。【選択図】    図１
2006188888.tif 000002
【特許請求の範囲】
【請求項１】
所望のメッセージを表示する表示部を電気錠の本体に具備したことを特徴とするメッセージ表示機能付電気錠。
【請求項２】
前記表示部にメッセージが表示されるときに点灯または点滅する発光装置が前記表示部に近接して設けられたことを特徴とする請求項１記載のメッセージ表示機能付電気錠。
【請求項３】
請求項１又は２記載のメッセージ表示機能付電気錠と、
前記メッセージ表示機能付電気錠の錠前を施解錠制御する電気錠制御器と、
前記メッセージ表示機能付電気錠の表示部に所望のメッセージを表示データとして入力するための表示データ出力装置とを具備したことを特徴とする電気錠システム。
【発明の詳細な説明】
【技術分野】
【０００１】
本発明は、電気的に錠前を施解錠制御する電気錠の本体に所望のメッセージを表示する表示部を一体に備えたメッセージ表示機能付電気錠及び該電気錠を用いた電気錠システムに関するものである。
【背景技術】
【０００２】
近年、ホテルやオフィスビル等の商業施設や公共施設の入出口、集合住宅や一般住宅のエントランスや玄関等にはカード式電気錠が広く普及している。このカード式電気錠は、各所の電気錠毎に予め割り当てられた特定の暗号や施解錠情報等の各種データが記憶されたカードを用い、このカードに記憶されている各種データ（例えば特定の暗号による施解錠データ）を読み取り、読み取った各種データを予め登録された情報と照合して正常に認証した場合のみ施解錠を行うものである。
【０００３】
この種のカード式電気錠は、ピッキング等の不正な施解錠行為を防止し、且つ、鍵の複製が非常に困難なため、セキュリティー面において信頼されている。また、各カード毎の各種データをホストコンピューターで管理しているため、データ破損等の心配がなく、カードを紛失した場合においてもカードを再発行することが可能である。
【０００４】
そして、このようなカード式電気錠を用いたシステムとしては、例えば下記特許文献１に開示される出入管理システムが知られている。
【０００５】
特許文献１に開示される出入管理システム５１は、図３に示すように、出入管理ゲートとしてのドア５２と、ドア５２に取り付けられた電気錠５３と、ドア５２を通過しようとする人の個人情報を識別する複数の個人識別装置として作用する複数の磁気カードリーダ５４および５５と、これら複数の磁気カードリーダ５４および５５に接続され、電気錠５３を制御するカードコントローラ５６とを備えて概略構成される。
【０００６】
カードコントローラ５６は、電気錠５３に接続された唯一の電気錠駆動部Ｋ（５４，５５）と、複数の磁気カードリーダ５４および５５のうちいずれかが識別した個人情報が、ドア５３の通過を許可されている人の情報か否かを判定し、通過を許可されている人の情報であれば、電気錠駆動部Ｋ（５４，５５）に電気錠５３を駆動する信号を発生させ、ドア５３を開にする判定部５７とを有している。また、カードコントローラ５６には、管理ソフトウエアを搭載したコンピュータ５８が通信ケーブル５９を介して接続される。
【特許文献１】特開２００１−２４１２２６号公報
【発明の開示】
【発明が解決しようとする課題】
【０００７】
ところで、例えばマンションや公団などの集合住宅において管理人が常駐している場合、不在の住人に対して郵便や宅配便などの配達物があったとき、配達人は管理人に預け、管理人が住人宅の扉に張り紙などをして配達物を預かっている旨を伝え、住人が帰宅した際にその紙を確認して管理人から配達物を受け取っている。また、管理人が常駐していない場合、配達人は問い合わせ先電話番号その他荷物の引渡しに必要な事項が記載された不在連絡票を住人専用のポストに入れたり又は扉などに貼り付けて、配達物を配達したことを知らせている。
【０００８】
しかしながら、配達人が不在連絡表を確実にポストに入れていないと、風や不可抗力により不在連絡表が紛失してしまったり、また悪戯などにより不在連絡表が不正に持っていかれたり剥がされたりするなど、使用者が帰宅した際に確実に不在連絡表を確認するという保証がなく、配達物が住人に届く期日が遅くなるという問題が生じていた。
【０００９】
また、ホテルなどの宿泊施設の場合、フロントからの通知や宿泊客に対して伝言や届け物などを預かる場合がある。しかし、客室に宿泊客がいない場合は、宿泊客がホテルに戻ってフロントに出向くまで伝言や届け物が有ることを伝えることができず、またフロントに寄らずに部屋に戻る宿泊客に対しては定期的に電話をかけるしかなく、確実に宿泊客にメッセージを伝えることができなかった。
【００１０】
そこで、本発明は上記問題点に鑑みてなされたものであり、メッセージを表示する表示部を電気錠の本体に具備することにより、例えば管理者から使用者に対して所望のメッセージを確実に伝達することができるメッセージ表示機能付電気錠及び該電気錠を用いた電気錠システムを提供することを目的とするものである。
【課題を解決するための手段】
【００１１】
上記した目的を達成するために、請求項１に記載されたメッセージ表示機能付電気錠は、所望のメッセージを表示する表示部を電気錠の本体に具備したことを特徴とする。
【００１２】
請求項２に記載されたメッセージ表示機能付電気錠は、請求項１記載のメッセージ表示機能付電気錠において、
前記表示部にメッセージが表示されるときに点灯または点滅する発光装置が前記表示部に近接して設けられたことを特徴とする。
【００１３】
請求項３に記載された電気錠システムは、請求項１又は２記載のメッセージ表示機能付電気錠と、
前記メッセージ表示機能付電気錠の錠前を施解錠制御する電気錠制御器と、
前記メッセージ表示機能付電気錠の表示部に所望のメッセージを表示データとして入力するための表示データ出力装置とを具備したことを特徴とする。
【発明の効果】
【００１４】
本発明によれば、電気錠本体に表示部を一体に備えた構成なので、使用者が電気錠を施解錠する際に表示部の表示画面を目視することでメッセージの有無を確認することができる。そして、電気錠本体に一体に備えた表示部を情報の伝達ツールとして使用でき、使用形態に応じて様々なメッセージ表示を行うことが可能となり、建物のサービス向上にもつながるという効果を奏する。
【発明を実施するための最良の形態】
【００１５】
以下、本発明の実施の形態について、添付した図面を参照しながら具体的に説明する。図１は本発明に係るメッセージ表示機能付電気錠を用いた電気錠システムの概略構成を示す図、図２は本発明に係るメッセージ表示機能付電気錠における各種表示内容の一例を示す図である。
【００１６】
本例のメッセージ表示機能付電気錠は、例えばマンション、団地などの集合住宅やホテルなどの各部屋に設けられた電気錠本体にメッセージ表示機能を有する表示部を一体に具備し、各部屋の使用者に対する所望のメッセージを表示部に表示し、部屋の使用者に対して所望の通知を行うものである。
【００１７】
まず、図１を参照しながら、本例のメッセージ表示機能付電気錠を用いた電気錠システムの構成について説明する。図１に示すように、本例のメッセージ機能付電気錠を用いた電気錠システム１は、メッセージ表示機能を有する表示部１４を具備した電気錠１０と、電気錠１０の施解錠を制御する電気錠制御器２０と、各使用人に伝達するための表示内容の作成や出力制御などを行う表示データ出力装置３０とを備えて構築される。              
【００１８】
図１に示すように、電気錠１０は、情報読取部１１、駆動部１２、錠前１３、表示部１４を備えて構成される。電気錠１０は、通信用インターフェースなどの不図示の入出力手段を介して電気錠制御器２０と接続され、相互に通信可能とされている。
【００１９】
情報読取部１１は、例えば暗証番号の入力を行うためのテンキー、磁気カード、ＩＣカード、非接触ＩＣチップ内蔵カードなどに記憶された施解錠情報を読み取るカードリーダ、指紋、顔、声紋、虹彩などの人体の一部を生体情報として読み取るバイオメトリクス認証装置などで構成される。図２では、磁気カードに記憶された施解錠情報を読み取るカードリーダの例であり、本体を破線、カード挿入口を実線で示している。情報読取部１１は、使用者の所定操作により電気錠１０を施解錠するための施解錠情報を読み取り、この読み取った施解錠情報を施解錠信号として電気錠制御器２０に出力している。
【００２０】
駆動部１２は、例えばモータやソレノイドなどの駆動装置で構成される。駆動部１２は、電気錠制御器２０から入力される駆動制御信号により錠前１３を施錠または解錠するべく駆動している。
【００２１】
錠前１３は、駆動部１２の駆動制御により扉枠の係止穴に対してデッドボルトを突出（施錠時）又は引き込む（解錠時）ことにより施解錠される。
【００２２】
表示部１４は、電気錠１０の本体に一体に設けられ、表示データ入力手段１４ａ、計時手段１４ｂ、表示手段１４ｃを備えて構成される。表示部１４は、表示データ出力装置３０から所定の表示データが入力しており、この表示データに応じたメッセージを表示内容として表示画面上に展開表示している。また、表示部１４は、電気錠１０の施解錠時に表示内容が確実に確認できるように情報読取部１１に近接して設けられている。
【００２３】
表示データ入力手段１４ａは、例えば赤外線受信や無線受信が可能な受信装置や通信用インターフェースから構成され、外部の表示データ出力装置３０から出力される表示データが入力している。
【００２４】
計時手段１４ｂは、例えばタイマなどで構成され、外部の表示データ出力装置３０から入力した表示データに基づいて、メッセージの表示時間、表示するメッセージの表示速度、メッセージの表示タイミングなどの表示に関する時間を計時する。
【００２５】
表示手段１４ｃは、例えばＬＥＤ、蛍光表示管、液晶画面などの表示機器で構成される。表示手段１４ｃは、外部の表示データ出力装置３０から表示データ入力手段１４ａを介して入力する表示データに応じたメッセージを表示内容として、計時手段１４ｂで計時された表示時間、表示速度、表示タイミングで表示画面上に点滅／点灯表示や文字表示を行っている。
【００２６】
電気錠制御器２０は、制御部２１、記憶部２２、判別処理部２３を備えて構成される。電気錠制御器２０は、例えば管理室に設置された管理パソコンとの間の各種制御信号の入出力制御、電気錠１０の情報読取部１１が読み取った施解錠信号と予め登録された認証用施解錠情報との照合判別、判別結果に応じた電気錠１０の錠前１３の施解錠制御などの各種制御を行っている。
【００２７】
制御部２１は、例えばＣＰＵなどのマイクロコンピュータなどで構成され、電気錠１０の施解錠に関する施解錠情報の入出力制御、電気錠１０の駆動部１２を駆動させるための駆動制御信号の出力、不図示の電源部から電気錠１０への電源供給の制御、電気錠１０から入力される施解錠信号の判別処理などを行っている。
【００２８】
記憶部２２は、例えば磁気的、光学的記憶媒体若しくはＲＯＭ、ＲＡＭなどの半導体メモリで構成される。記憶部２２は、電気錠１０の情報読取部１１からの施解錠信号が電気錠１０の錠前１３を施解錠する正当な施解錠情報であるか否かを判別するための認証用施解錠情報、電気錠１０の施解錠状態を示すモニタ情報（施錠信号、解錠信号、開扉信号、閉扉信号）など電気錠１０の施解錠制御に関する各種データを記憶している。
【００２９】
判別処理部２３は、電気錠１０の情報読取部１１からの施解錠信号と、記憶部２２に予め登録された認証用施解錠情報とを比較照合し、施解錠信号の内容が正当なものか否かを判別し、正当な内容と判別したときのみ電気錠１０の錠前１３を施錠または解錠するための駆動信号を駆動部１２に出力する。
【００３０】
表示データ出力装置３０は、例えばパソコンなどの端末装置や携帯型のデータ入出力器で構成される。表示データ出力装置３０は、例えばキー操作により所望のメッセージを入力して表示データを作成し、この作成した表示データを指定された所定の電気錠１０の表示部１４に対して無線通信や有線通信により出力している。また、表示データ出力装置３０は、作成した表示データの表示時間、表示方法（例えば点灯／点滅や文字表示など）、出力相手先（例えば複数の部屋がある場合には部屋番号）などを設定することができる。これにより、表示データ出力装置３０で作成された表示データは、出力相手先として指定された電気錠１０の表示部１４に出力され、その表示部１４の表示画面上に表示データに応じたメッセージが所定の表示方法で表示される。
【００３１】
表示部１４の表示画面上には、例えば図２（ａ）〜（ｃ）に示すような表示内容のメッセージが表示される。例えばマンションなどの集合住宅において管理人から住人に対して伝言がある場合は、図２（ａ）に示すように、「ご伝言があります。管理人室まで連絡下さい。」といった表示内容が表示部１４の表示画面上に表示される。また、例えばオフィスにおいて、会議時間の変更を社員に通知する場合は、図２（ｂ）に示すように、「本日  １０時からの会議は１１時からと、時間変更になりました。」といった表示内容が表示部１４の表示画面上に表示される。さらに、例えばホテルにおいて、フロントに宿泊客への伝言が届いている場合は、図２（ｃ）に示すように、「お帰りなさいませ。ご伝言がフロントに届いていますので、フロントまでお電話ください。」といった表示内容が表示部１４の表示画面上に表示される。このように、設置する施設（集合住宅、会社、ホテルなど）や使用人（住人、従業員、宿泊者など）に応じて適宜表示内容を変更し、使用者に対して通知したいメッセージを表示部１４の表示画面上に表示することができる。
【００３２】
次に、上述したメッセージ表示機能付電気錠１０を用いた電気錠システム１の動作について、具体例を挙げて説明する。ここでは、本例の電気錠システム１をホテルなどの宿泊施設に採用し、管理室に設置されたパソコンなどの端末装置による表示データ出力装置３０から表示データを入力して作成し、この表示データを例えばイーサネット（登録商標）などの通信回線を介して電気錠１０の表示部１４に遠隔入力する場合を例にとって説明する。
【００３３】
ホテルなどの宿泊施設において、フロントが宿泊客宛の伝言を受け取ったが、宿泊客が外出中若しくは在室しておらず宿泊客と連絡が取れない場合には、宿泊客に宿泊客宛の伝言を預かっている旨を伝えるため、フロントの管理室に設置された表示データ出力装置３０で所望のメッセージを入力して表示データを作成し、作成した表示データを伝言先対象となる宿泊客の部屋の電気錠１０の表示部１４に転送する。具体的には、「お帰りなさいませ。ご伝言がフロントに届いております。フロントまでお電話ください。」と表示データ出力装置３０から文字入力し、入力した表示データの転送先を設定し、例えばイーサネット（登録商標）などの通信回線を介して設定された宿泊客の部屋の電気錠１０の表示部１４に転送する。これにより、宿泊客が宿泊している客室の表示部１４には、伝言を預かっている旨を知らせる表示内容（お帰りなさいませ。ご伝言がフロントに届いております。フロントまでお電話ください。）が表示される。その後、宿泊客が部屋に戻って電気錠１０を解錠する際、電気錠１０の表示部１４の表示内容を目視で確認し、フロントに自分宛の伝言が届いていることを認識すると、部屋からフロントに内線で連絡を入れることで伝言を聞くことができる。
【００３４】
また、上述したメッセージ機能付電気錠１０を用いた電気錠システム１の別の例として、例えばマンションなど集合住宅に採用し、管理人が玄関扉の前まで出向いて携帯型の表示データ出力装置３０から表示データを入力して作成し、この表示データを無線通信（例えば赤外線通信など）で伝言対象となる住人の玄関扉の電気錠１０の表示部１４に入力する場合について説明する。
【００３５】
マンションなどの集合住宅において、住人が不在時に配達された配達物を管理人が一時的に預かっている場合には、管理人が表示データ出力装置３０を携帯して住人の玄関扉の前まで出向き、携帯した表示データ出力装置３０で所望のメッセージを入力して表示データを作成し、作成した表示データを伝言先対象となる住人の玄関扉の電気錠１０の表示部１４に転送する。具体的には、「配達物を預かっておりますので、管理人までご連絡ください。」と表示データ出力装置３０から文字入力し、入力した表示データを玄関扉の電気錠１０の表示部１４に無線通信（例えば赤外線通信など）により転送する。これにより、住人の玄関扉の電気錠１０の表示部１４には、配達物を預かっている旨を知らせる表示内容（配達物を預かっておりますので、管理人までご連絡ください。）が表示される。その後、住人が帰宅して玄関扉の電気錠１０を解錠する際、電気錠１０の表示部１４の表示内容を目視で確認し、管理人が自分宛の配達物を預かっていることを認識すると、管理人に連絡を入れることで配達物を受け取ることができる。
【００３６】
このように、本例のメッセージ表示機能付電気錠１０は、電気錠本体に表示部１４を一体に具備した構成なので、使用人（例えば住人、従業員、宿泊者など）に対して所望のメッセージを簡便に伝達することができる。これにより、表示部１４を情報の伝達ツールとして使用でき、使用形態に応じて様々なメッセージ表示を行うことが可能となり、建物のサービス向上にもつながる。また、電気錠１０の情報読取部１１の近傍に表示部１４を設ける構成とすれば、使用者が電気錠１０を施解錠する際にメッセージの有無を目視でより確認しやすくなり、メッセージの伝達を確実に行えるという効果を奏する。さらに、管理室に設置された端末装置を表示データ出力装置３０として用いれば、各部屋に転送されるメッセージを管理室で一括管理することができる。
【００３７】
ところで、上述した形態において、表示部１４は、外部の表示データ出力装置３０から入力される表示データに応じたメッセージを表示内容として表示するが、図２に示すように、例えばＬＥＤなどの発光装置１５を表示部１４の近傍に設ける構成としても良い。この場合、発光装置１５は、表示部１４にメッセージを表示するときに連動して点灯または点滅する。これにより、使用者に対してメッセージが有る場合には発光装置１５が点灯または点滅するので、メッセージが有ることが強調され、より確実に使用者に対してメッセージを伝えることができる。
【００３８】
以上、本発明の最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００３９】
【図１】本発明に係るメッセージ表示機能付電気錠を用いた電気錠システムの概略構成を示す図である。
【図２】（ａ）〜（ｃ）  本発明に係るメッセージ表示機能付電気錠における各種表示内容の一例を示す図である。
【図３】従来のカード式電気錠システムを示す概略構成図である。
【符号の説明】
【００４０】
１  電気錠システム
１０  電気錠
１１  情報読取部
１２  駆動部
１３  錠前
１４  表示部
１５  発光装置
２０  電気錠制御器
２１  制御部
２２  記憶部
２３  判別処理部
３０  表示データ出力装置
【図１】
2006188888.tif 000003
【図２】
2006188888.tif 000004
【図３】
2006188888.tif 000005